(57)【要約】【課題】簡単な構成で使い勝手の良い、芯線への刃の接触を検出し報知する電線被覆剥離工具を提供する。【解決手段】被覆電線の被覆に食い込む一対の刃１５ａ、１５ｂを備える被覆剥離工具本体１１と、前記一対の刃１５ａ、１５ｂの間に導通が生じるとこれを報知する報知手段５５と、を備え、前記報知手段５５は、被覆剥離工具本体１１に装着された発光素子５６、発音素子５７及び電源を供給するバッテリ５８を備え、前記一対の刃１５ａ、１５ｂが共に被覆電線の芯線に接触すると、発光素子５６が点灯し、発音素子５７が鳴動する。【選択図】図２
2018098890.tif 000002
【特許請求の範囲】
【請求項１】
被覆電線の被覆に食い込む一対の刃を備える被覆剥離工具本体と、
前記一対の刃の間に導通が生じるとこれを検出し報知する報知手段と、
を備え、
前記一対の刃が共に被覆電線の芯線に接触すると、前記報知手段がこれを報知することを特徴とする電線被覆剥離工具。
【請求項２】
前記報知手段は、報知器及び前記報知器に電源を供給するバッテリを備え、
前記報知器及び前記バッテリは、前記被覆剥離工具本体に装着されていることを特徴とする請求項１に記載の電線被覆剥離工具。
【請求項３】
前記一対の刃は、互いが電気的に絶縁された状態で被覆剥離工具本体に取付けられていることを特徴とする請求項１又は２に記載の電線被覆剥離工具。
【請求項４】
前記被覆剥離工具本体は、互いの先端部が開閉可能に連結された一対のハンドルを有し、
前記一対の刃は、各々ハンドルの先端部に設けられていることを特徴とする請求項１から３のいずれか１項に記載の電線被覆剥離工具。
【請求項５】
ハンディタイプであることを特徴とする請求項１から４のいずれか１項に記載の電線被覆剥離工具。
【請求項６】
前記被覆剥離工具本体がホッチキスタイプの皮剥き器、又はニッパ、又はワイヤーストリッパであることを特徴とする請求項１から５のいずれか１項に記載の電線被覆剥離工具。
【発明の詳細な説明】
【技術分野】
【０００１】
本発明は、被覆電線の被覆を剥離する際に使用する工具に関し、特に芯線への刃の接触を検出可能な電線被覆剥離工具に関する。
【背景技術】
【０００２】
発変電所、無線中継所などの通信用配線盤において使用される通信用被覆電線は、線径が０．５ｍｍ程度と細い。通信用被覆電線の被覆の剥離には、通常の被覆電線と同様にニッパや専用の皮剥き器が使用されるが、線径が細いため導線（芯線）を傷付け易い。芯線が傷付いた通信用被覆電線は、断線等の恐れがあるため被覆を剥離した後、敷設等に先立ち目視にて確認しているが、このような作業は大変手間が掛かる。
【０００３】
被覆電線の被覆を剥離する際に芯線に傷が付くこと、及びその問題点は、ボビンに巻回した被覆電線を定尺切断した後、被覆を剥離する導体口出しにおいても指摘されている（例えば特許文献１参照）。このような問題を解決するためにボビンに巻回した被覆電線の導体口出し方法においては、被覆の剥離に使用する刃が芯線に接触したか否かを検出可能な被覆剥き方法、装置が開発されている（例えば特許文献１、２、３参照）。
【０００４】
特許文献１に記載の被覆電線の口出し方法は、連結用電線の一端をボビンの巻き始め端に、他端を通電検出器を介してカッターに接続し、被覆剥離の際にカッターが芯線に接触すると通電検出器を介してそれを報知するものである。特許文献２に記載の芯線傷検出装置は、検出ヘッドに被覆電線を挿通し、口出しカッターに交流電圧を印加すると、口出しカッターが芯線に接触したとき被覆電線と検出ヘッド間に電流が流れるのでそれに基づき口出しカッターが芯線に接触したことを検出する。
【０００５】
特許文献３に記載の芯線接触検出装置は、芯線とストリップ刃との接触によって生じる振動を検知し、検知された振動の振幅から芯線とストリップ刃との接触を検出する。
【先行技術文献】
【特許文献】
【０００６】
【特許文献１】特開平８−４７１３３号公報
【特許文献２】特開平７−２２７０２２号公報
【特許文献３】特開２０１０−８１７７０号公報
【発明の概要】
【発明が解決しようとする課題】
【０００７】
特許文献１〜３に記載された被覆電線の口出し方法、芯線接触検出装置は、ボビンに巻回した被覆電線等の口出しを対象としているため、既に配線されているような被覆電線には適用することが難しい。また特許文献１〜３で使用される芯線接触検出装置は、据置き式の装置であり、ここで使用されている技術をハンディタイプの皮剥き器等に適用することは構造的に難しい。
【０００８】
本発明の目的は、簡単な構成で使い勝手の良い、芯線への刃の接触を検出し報知する電線被覆剥離工具を提供することである。
【課題を解決するための手段】
【０００９】
本発明は、被覆電線の被覆に食い込む一対の刃を備える被覆剥離工具本体と、前記一対の刃の間に導通が生じるとこれを検出し報知する報知手段と、を備え、前記一対の刃が共に被覆電線の芯線に接触すると、前記報知手段がこれを報知することを特徴とする電線被覆剥離工具である。
【００１０】
本発明の電線被覆剥離工具において、前記報知手段は、報知器及び前記報知器に電源を供給するバッテリを備え、前記報知器及び前記バッテリは、前記被覆剥離工具本体に装着されていることを特徴とする。
【００１１】
また本発明の電線被覆剥離工具において、前記一対の刃は、互いが電気的に絶縁された状態で被覆剥離工具本体に取付けられていることを特徴とする。
【００１２】
また本発明の電線被覆剥離工具において、前記被覆剥離工具本体は、互いの先端部が開閉可能に連結された一対のハンドルを有し、前記一対の刃は、各々ハンドルの先端部に設けられていることを特徴とする。
【００１３】
また本発明の電線被覆剥離工具は、ハンディタイプであることを特徴とする。
【００１４】
また本発明の電線被覆剥離工具において、前記被覆剥離工具本体がホッチキスタイプの皮剥き器、又はニッパ、又はワイヤーストリッパであることを特徴とする。
【発明の効果】
【００１５】
本発明によれば、簡単な構成で使い勝手の良い、芯線への刃の接触を検出し報知する電線被覆剥離工具を提供することができる。
【図面の簡単な説明】
【００１６】
【図１】本発明の第１実施形態の電線被覆剥離工具１の外観図である。
【図２】本発明の第１実施形態の電線被覆剥離工具１の報知手段５５の構成図である。
【図３】本発明の第１実施形態の電線被覆剥離工具１の使用状態を示す図である。
【図４】本発明の第２実施形態の電線被覆剥離工具２であり、（ａ）が外観図、（ｂ）が、連結部の構造を説明するための図である。
【図５】本発明の第２実施形態の電線被覆剥離工具２の報知手段５５の回路図である。
【図６】本発明の第２実施形態の電線被覆剥離工具２の使用状態を示す図である。
【図７】本発明の第３実施形態の電線被覆剥離工具３の外観図である。
【図８】本発明の第３実施形態の電線被覆剥離工具３の使用状態を示す図である。
【発明を実施するための形態】
【００１７】
図１は、本発明の第１実施形態の電線被覆剥離工具１の外観図、図２は、電線被覆剥離工具１の報知手段５５の構成図、図３は、電線被覆剥離工具１の使用状態を示す図である。
【００１８】
本発明の第１実施形態の電線被覆剥離工具１は、被覆電線１０１の被覆材１０３を剥離する際に使用する工具であり、被覆電線１０１の被覆材１０３を剥離する被覆剥離工具本体１１と、被覆剥離工具本体１１に装着され被覆剥離工具の刃が芯線１０５に接触したときこれを検出し報知する報知手段５５とを含む。
【００１９】
被覆剥離工具本体１１は、末端部が連結ピン１３を介して互いに回動自在に連結され、先端部が開閉可能な一対のハンドル１２ａ、１２ｂを有する。一対のハンドル１２ａ、１２ｂの末端部には、連結ピン１３に挿通するようにねじりバネ（図示省略）が装着され、ねじりバネは、一対のハンドル１２ａ、１２ｂの先端部が開くように付勢する。
【００２０】
一対のハンドル１２ａ、１２ｂの先端部には各々被覆材１０３に食い込む刃（刃体）１５ａ、１５ｂがハンドル１２ａ、１２ｂの長手方向に直交するように取付けられている。刃体１５ａ及び刃体１５ｂの連結ピン１３からの距離は、等距離である。またハンドル１２ａの先端部には、ハンドル１２ａ、１２ｂを閉じたとき刃体１５ａと刃体１５ｂとの間を所定の間隔に保持するためのストッパ１６が設けられている。このため一対のハンドル１２ａ、１２ｂを完全に閉じても刃体１５ａと刃体１５ｂとが直接接触することはない。但し、本発明の電線被覆剥離工具において、このストッパ１６を備えていなくてもよい。
【００２１】
刃体１５ａはハンドル１２ａに対して、刃体１５ｂはハンドル１２ｂに対して、電気的に絶縁された状態で取付けられている。ハンドル１２ａ、１２ｂ及び刃体１５ａ、１５ｂは、いずれも導電性を有する金属材料からなるが、刃体１５ａはハンドル１２ａとの間に絶縁性の板材１７ａを介在させ固定されている。刃体１５ｂもハンドル１２ｂとの間に絶縁性の板材１７ｂを介在させ固定されている。また刃体１５ａとストッパ１６との間にも絶縁性の板材１９が介在する。
【００２２】
刃体１５ａとハンドル１２ａ、及び刃体１５ｂとハンドル１２ｂとの電気的絶縁性の確保は、上記実施形態に限定されるものではない。通常、刃体１５ａ、１５ｂは、切れ味、摩耗の点から金属材料を使用されることが多いが、ハンドル１２ａ、１２ｂがプラスチック材、あるいはハンドル１２ａ、１２ｂが金属材料の表面を合成樹脂材で被覆されてなるような場合には、刃体１５ａをハンドル１２ａに、また刃体１５ｂをハンドル１２ｂに直接取付けても電気的絶縁性は確保される。
【００２３】
また本実施形態の被覆剥離工具本体１１は、ハンドル１２ａにスライド可能に取付けられた距離調節板１８を備える。この距離調節板１８は、剥離する被覆材１０３の長さを調節するための部材であり、刃体１５ａと距離調節板１８との間隔が剥離する被覆材１０３の長さとなる。但し、本発明の電線被覆剥離工具において、この距離調節板１８は備えていなくてもよい。
【００２４】
上記被覆剥離工具本体１１は、刃体１５ａがハンドル１２ａ、また刃体１５ｂがハンドル１２ｂに対して電気的に絶縁された状態で取付けられている点を除けば、公知の皮剥き器と同様の構成である。
【００２５】
報知手段５５は、被覆電線１０１から被覆材１０３を剥離するときに刃体１５ａ、１５ｂが芯線１０５に接触するとこれを検出し報知する手段であり、報知器（報知具）である発光素子５６及び発音素子５７と、発光素子５６等に電源を供給するバッテリ５８を備える。これらは図２に示されるように刃体１５ａ、バッテリ５８、回路を開閉するためのスイッチ５９、発音素子５７、発光素子５６及び刃体１５ｂが電線６０、６１、６２を介して接続され報知回路が形成されている。
【００２６】
発光素子５６、発音素子５７及びバッテリ５８等は特に限定されるものではなく、発光素子５６にはＬＥＤランプ、発音素子５７にはブザー、バッテリ５８にはボタン電池等を使用することができる。発光素子５６はハンドル１２ｂの上面の先端部側に、発音素子５７はハンドル１２ｂの上面の末端部側に取付けられている。発光素子５６及び発音素子５７の取付け位置は、本実施形態の位置に限定されるものではないが、使用の際に邪魔にならない位置であり、発光素子５６は、点灯したときこれを視認し易い位置がよい。
【００２７】
バッテリ５８はハンドル１２ｂの背面に、スイッチ５９は、ハンドル１２ｂの側面に固定されている。これらも操作の邪魔にならない位置であれば位置は特に限定されるものではない。なお本実施形態の被覆剥離工具本体１１のようにハンドル１２ａ、１２ｂを閉じてもストッパ１６により報知回路が閉じない場合には、スイッチ５９を省略してもよい。
【００２８】
以上からなる報知手段５５は、ストッパ１６の存在によりハンドル１２ａ、１２ｂを閉じても報知回路が閉じないが、刃体１５ａと刃体１５ｂとの間に芯線１０５など導電性の部材を介在させ、これに刃体１５ａ及び刃体１５ｂを接触させると報知回路が閉じ、発光素子５６が点灯し、発音素子５７が鳴動する。なお報知回路は、刃体１５ａと刃体１５ｂの間に導通が生じたとき、発光素子５６等の報知器を介してこれを報知できればよく、本実施形態に限定されるものではない。
【００２９】
電線被覆剥離工具１の使用方法を説明する。被覆電線１０１の被覆材１０３の剥離に先立ち、バッテリ５８の消耗、報知回路の断線等を確認する。具体的には、スイッチ５９をオンにした状態で被覆電線１０１の芯線１０５あるいは他の導電性の部材を刃体１５ａと刃体１５ｂとで挟み、発光素子５６が点灯し、発音素子５７が鳴動することを確認する。この時点で発光素子５６が点灯せず、発音素子５７が鳴動しない場合には、バッテリ５８切れが疑われる。
【００３０】
被覆電線１０１の被覆材１０３の剥離は、次の要領で行う。図３に示すように片手１１１で電線被覆剥離工具１を握り、ハンドル１２ａ、１２ｂを開いた状態で刃体１５ａ、１５ｂとの間に被覆電線１０１を差し込み、被覆電線１０１の先端部を距離調節板１８に当接させる。次にハンドル１２ａ、１２ｂを閉じ、刃体１５ａ、１５ｂを被覆材１０３に食い込ませ、その状態で被覆電線１０１と電線被覆剥離工具１とを引き離し、被覆材１０３を取り除く。
【００３１】
刃体１５ａ、刃体１５ｂを芯線１０５に接触させることなく被覆材１０３を剥離できれば、発光素子５６が点灯し、発音素子５７が鳴動することはない。一方、発光素子５６が点灯し、発音素子５７が鳴動した場合には、刃体１５ａ、刃体１５ｂのいずれもが芯線１０５に接触したことを意味する。
【００３２】
刃体１５ａ、刃体１５ｂが芯線１０５に接触するのは、刃体１５ａ、１５ｂを被覆材１０３に食い込ませたときのみならず、その後、被覆電線１０１と電線被覆剥離工具１とを引き離し、被覆材１０３を取り除くときも起こり得る。いずれの場合も刃体１５ａ、刃体１５ｂが芯線１０５に接触すると芯線１０５に傷が入っている恐れがあるので、この部分は切断し、再度新たな部分を剥離するのがよい。
【００３３】
電線被覆剥離工具１は、刃体１５ａ、刃体１５ｂのいずれか一方のみが芯線１０５に接触し、他方が芯線１０５に接触しない場合には、報知回路は閉じず、発光素子５６は点灯せず、発音素子５７も鳴動しない。但し、被覆剥離工具本体１１の構造から刃体１５ａ、刃体１５ｂのいずれか一方のみが芯線１０５に接触し、他方が芯線１０５に接触しない状態は想定し難く、さらにこのような状態では被覆材１０３を剥離することが難しい。よって発光素子５６が点灯せず、さらに発音素子５７が鳴動することなく被覆材１０３を剥離できた場合には、刃体１５ａ、刃体１５ｂとも芯線１０５に接触していないと判断できる。
【００３４】
上記のように第１実施形態の電線被覆剥離工具１は、ハンディタイプの工具であり、刃体１５ａ、１５ｂの芯線１０５への接触を検出し報知する報知手段５５も被覆剥離工具本体１１に装着されているので手軽に使用することができる。また刃体１５ａ、１５ｂが芯線１０５に接触すると、報知手段５５がこれを検出し報知する。換言すれば報知器が動作しないことは、刃体１５ａ、１５ｂが芯線１０５に接触していないことを担保していると言え、被覆材１０３を剥離した後の目視点検が不要となるなど使い勝手に優れる。
【００３５】
図４（ａ）は、本発明の第２実施形態の電線被覆剥離工具２の外観図、図４（ｂ）は、電線被覆剥離工具２の連結部の構造を説明するための図である。図５は、電線被覆剥離工具２の報知手段５５の回路図、図６は、電線被覆剥離工具２の使用状態を示す図である。図１〜図３に示す第１実施形態の電線被覆剥離工具１と同一の構成には、同一の符号を付して説明を省略する。
【００３６】
電線被覆剥離工具２の基本構成は、第１実施形態の電線被覆剥離工具１と同じであり、被覆電線１０１の被覆材１０３を剥離する被覆剥離工具本体２１と、被覆剥離工具本体２１に装着され被覆剥離工具本体２１の刃が芯線１０５に接触したときこれを検出し報知する報知手段５５とを含む。
【００３７】
被覆剥離工具本体２１は、ニッパとほぼ同じ形状、構造であり、先端部２３ａ、２３ｂに刃２６ａ、２６ｂが設けられ、先端部２３ａ、２３ｂに続く連結部２４ａ、２４ｂ、把持部２５ａ、２５ｂを備える一対のハンドル２２ａ、２２ｂが、回動自在に連結されている。連結部２４ａ、２４ｂは、ヒンジ構造となっており、連結部２４ａ、２４ｂを中心に把持部２５ａ、２５ｂ及び先端部２３ａ、２３ｂが回動可能に構成され、把持部２５ａ、２５ｂを閉じることで刃２６ａと刃２６ｂを当接させることができる。
【００３８】
ハンドル２２ａの連結部２４ａは、把持部２５ａに繋がる把持部２５ａの半分の厚さの円盤２７ａを備え、円盤２７ａの背面中心部に回動ピン３１が立設する。ハンドル２２ｂの連結部２４ｂは、把持部２５ｂに繋がる把持部２５ｂの半分の厚さの円盤２７ｂを備え、円盤２７ｂの中心部には回動ピン３１が嵌合する嵌合孔３２を有する。
【００３９】
２つの連結部２４ａ、２４ｂは、嵌合孔３２に回動ピン３１が回動自在に嵌合することでヒンジが形成される。このとき嵌合孔３２と回動ピン３１との間には、電気的絶縁性を有する円筒部材３３が介装され、さらに円盤２７ａと円盤２７ｂとの間、円盤２７ａと先端部２３ｂとの間、円盤２７ｂと先端部２３ａとの間には、電気的絶縁性を有する板材３４が介装されている。
【００４０】
ハンドル２２ａ、２２ｂは、共に全体が金属材料からなるが、上記のように電気的絶縁性を有する部材を介在させハンドル２２ａ、２２ｂを連結させることで２つのハンドル２２ａ、２２ｂを電気的に絶縁させた状態で連結することができる。把持部２５ａ、２５ｂにも電気的絶縁性を有する被覆材３５が取付けられている。
【００４１】
ここで重要なことは、２つの刃２６ａ、２６ｂが非接触の状態で互いに電気的に絶縁された状態にあることであり、２つの刃２６ａ、２６ｂが非接触の状態で互いに電気的に絶縁された状態にあれば上記実施形態に限定されるものではない。例えば、２つの先端部２３ａ、２３ｂを金属材料、連結部２４ａ、２４ｂをプラスチック材とすれば、２つの刃２６ａ、２６ｂを非接触の状態で互いに電気的に絶縁された状態とすることができる。
【００４２】
上記被覆剥離工具本体２１は、刃２６ａ、２６ｂを含む先端部２３ａ、２３ｂが非接触の状態で互いに電気的に絶縁された状態に構成されている点を除けば、公知のニッパと同様の構成である。
【００４３】
被覆電線１０１から被覆材１０３を剥離するときに刃２６ａ、２６ｂが芯線１０５に接触したときこれを検出し報知する報知手段５５は、第１実施形態と同様の構成からなり、図５に示すように報知回路も同じである。
【００４４】
電線被覆剥離工具２では、スイッチ５９、発音素子５７及び発光素子５６が積層された状態で、連結部２４ａの上面に固定されている。バッテリ５８は、スイッチ５９に内蔵されている。発音素子５７及び発光素子５６は、バッテリ５８の交換を容易に行えるようにスイッチ５９に対して着脱自在に取付けられている。
【００４５】
先端部２３ａは、電線６０を介してバッテリ５８の一端と接続し、先端部２３ｂは、電線６１を介して発光素子５６の一端に接続する。バッテリ５８、スイッチ５９、発音素子５７及び発光素子５６は、電線６２で接続される（図５参照）。電線６０は先端部２３ａの上面を這うよう取付けられ、カバー３６で覆われている。同様に電線６１は先端部２３ｂの上面を這うよう取付けられ、カバー３７で覆われている。電線６０、６１、６２及びカバー３６、３７は、先端部２３ａ、２３ｂの開閉を邪魔しないように取付けられている。
【００４６】
以上からなる報知手段５５は、ハンドル２２ａ、２２ｂを閉じると刃２６ａ、２６ｂが接触し報知回路が閉じ、発光素子５６が点灯し、発音素子５７が鳴動する。
【００４７】
電線被覆剥離工具２の使用方法を説明する。被覆電線１０１の被覆材１０３の剥離に先立ち、バッテリ５８の消耗、報知回路の断線等を確認する。具体的には、スイッチ５９をオンにした状態でハンドル２２ａ、２２ｂを閉じ刃２６ａと刃２６ｂとを接触させ、発光素子５６が点灯し、発音素子５７が鳴動することを確認する。この時点で発光素子５６が点灯せず、発音素子５７が鳴動しない場合には、バッテリ５８切れが疑われる。
【００４８】
被覆電線１０１の被覆材１０３の剥離は、通常のニッパと変わるところはない。ハンドル２２ａ、２２ｂを閉じ、被覆電線１０１に刃２６ａ、２６ｂを食い込ませ、その状態で被覆電線１０１と電線被覆剥離工具２とを引き離し、被覆材１０３を取り除く。
【００４９】
このとき発光素子５６が点灯し、発音素子５７が鳴動しなければ刃２６ａ、２６ｂを芯線１０５に接触させることなく被覆材１０３を剥離できたことを意味する。一方、発光素子５６が点灯し、発音素子５７が鳴動した場合には、刃２６ａ、刃２６ｂのいずれもが芯線１０５に接触したことを意味する。
【００５０】
刃２６ａ、刃２６ｂが芯線１０５に接触するのは、刃２６ａ、２６ｂを被覆材１０３に食い込ませたときのみならず、その後、被覆電線１０１と電線被覆剥離工具２とを引き離し、被覆材１０３を取り除くときも起こり得る。いずれの場合も刃２６ａ、刃２６ｂが芯線１０５に接触すると芯線１０５に傷が入っている恐れがあるので、この部分は切断し、再度新たな部分を剥離するのがよい。この点は、第１実施形態の電線被覆剥離工具１と同様である。
【００５１】
電線被覆剥離工具２においても、電線被覆剥離工具１と同様に刃２６ａ、２６ｂのいずれか一方のみが芯線１０５に接触しても発光素子５６が点灯せず、発音素子５７も鳴動しない。一方で、被覆剥離工具本体２１の構造から判断して、刃２６ａ、刃２６ｂのいずれか一方のみが芯線１０５に接触し、他方が芯線１０５に接触しない状態は想定し難く、さらにこのような状態では被覆材１０３を剥離することが難しい。よって発光素子５６が点灯することなく、かつ発音素子５７が鳴動することなく被覆材１０３を剥離できた場合には、刃２６ａ、刃２６ｂとも芯線１０５に接触していないと判断できる。この点は、電線被覆剥離工具１と同じように考えることができる。
【００５２】
図７は、本発明の第３実施形態の電線被覆剥離工具３の外観図、図８は、電線被覆剥離工具３の使用状態を示す図である。図１〜図３に示す第１実施形態の電線被覆剥離工具１、図４〜図６に示す第２実施形態の電線被覆剥離工具２と同一の構成には、同一の符号を付して説明を省略する。
【００５３】
電線被覆剥離工具３の基本構成は、電線被覆剥離工具１、２と同じであり、被覆電線１０１の被覆材１０３を剥離する被覆剥離工具本体４１と、被覆剥離工具本体４１に装着され被覆剥離工具本体４１の刃が芯線１０５に接触したときこれを検出し報知する報知手段５５とを含む。
【００５４】
被覆剥離工具本体４１は、被覆電線１０１の被覆材１０３を剥離する工具であるワイヤーストリッパとほぼ同じ形状、構造であり、被覆電線１０１の線径に対応すべく口径の異なる７つの丸穴状の刃４６（４６ａ、４６ｂ）が設けられている。ハンドル４２ａの先端部４３ａには、先端部４３ａの表面（おもて面）４７ａから先端部４３ａの裏面に向って傾斜した溝４９ａが設けられ、溝４９ａのエッジ部分が刃４６ａとなっている。刃４６ｂも刃４６ａと同じ要領で形成されている。
【００５５】
ハンドル４２ａとハンドル４２ｂとは、各々中央部に位置するヒンジ構造の連結部４４ａ、４４ｂを介して回動自在に、また電気的に絶縁された状態で連結されている。ハンドル４２ａの把持部４５ａとハンドル４２ｂの把持部４５ｂとの間には、先端部４３ａ、４３ｂを開くように付勢するバネ５３が取付けられている。
【００５６】
ヒンジ構造は、次の要領で形成されている。各連結部４４ａ、連結部４４ｂには、各々連結ピン５１が挿通する貫通孔（図示省略）が穿設されており、ハンドル４２ａ、４２ｂは、ハンドル４２ａの連結部４４ａとハンドル４２ｂの連結部４４ｂとを重ね合せ、貫通孔に連結ピン５１を挿通し連結されている。
【００５７】
ハンドル４２ａ、４２ｂは、共に刃４６ａ、４６ｂを含め全体が金属材料からなるが、次の要領で電気的絶縁性が確保されている。連結部４４ａ、４４ｂを連結する連結ピン５１には、電気的絶縁性を有する円筒部材（図示省略）が挿通され、連結ピン５１と貫通孔（図示省略）との絶縁性が確保されている。さらにハンドル４２ｂの先端部４３ｂから連結部４４ｂに渡り、裏面４８ｂには電気的絶縁性の被覆５２が施されている。ハンドル４２ａについても同様に先端部４３ａから連結部４４ａに渡り、裏面には電気的絶縁性の被覆５２が施されている。ここで裏面は、連絡部４４ａ、４４ｂにおいて接触する側の面をいう。被覆５２は、図７、図８においてドットで表示している。
【００５８】
把持部４５ａ、４５ｂには、電気的絶縁性を有する被覆材３５が取付けられており、さらにバネ５３を装着する把持部４５ａ、４５ｂに設けられた取付座５４ａ、５４ｂにも電気的絶縁性の被覆５２が施されている。
【００５９】
以上からなる被覆剥離工具本体４１のハンドル４２ａ、４２ｂの把持部４５ａ、４５ｂを閉じると、連結部４４ａ、４４ｂを起点に先端部４３ａ、４３ｂが閉じるように回動し、刃４６ａ、４６ｂが設けられた先端部４３ａ、４３ｂの端部５０ａ、５０ｂが部分的に重なり合い、丸穴状の刃が形成されるように構成されている（図８参照）。
【００６０】
ここで重要なことはハンドル４２ａ、４２ｂを完全に閉じると、先端部４３ａ、４３ｂの端部５０ａ、５０ｂが部分的に重なり合うが、このとき刃４６ａと刃４６との間に電気的絶縁性が確保されていることである。本実施形態においては、前記のとおり、ハンドル４２ａ、４２ｂの先端部４３ａ、４３ｂの各々の裏面には電気的絶縁性の被覆５２が施されているので刃４６ａと刃４６ｂとの間の電気的絶縁性は確保される。但し、刃４６ａと刃４６ｂとの間の電気的絶縁性の確保は、本実施形態に限定されるものではない。
【００６１】
上記被覆剥離工具本体４１は、ハンドル４２ａ、４２ｂを完全に閉じた場合であっても刃４６ａと刃４６ｂとの間に電気的絶縁性が確保されている点を除けば、公知のワイヤーストリッパと同様の構成である。
【００６２】
被覆電線１０１から被覆材１０３を剥離するときに刃４６ａ、４６ｂが芯線１０５に接触したときこれを検出し報知する報知手段５５の構成、及び報知手段５５の被覆剥離工具本体４１への取付け要領は、第２実施形態の電線被覆剥離工具２と同様であるのでポイントとなる部分のみ説明する。
【００６３】
先端部４３ａとバッテリ５８とを結ぶ電線６０は、先端部４３ａの表面（おもて面）４７ａに、先端部４３ｂと発光素子５６とを結ぶ電線６１は、先端部４３ｂの表面（おもて面）を這うように取付けられ、各々カバー３６、３７で覆われている。なお、電線６１及びカバー３７は、発光素子５６等が、連結部４４ａの表面（おもて面）の連結ピン５１の上に取付けられている関係から、先端部４３ｂの表面（おもて面）から連結部４４ａの表面（おもて面）に回り込むように取付けられている。
【００６４】
報知手段５５の被覆剥離工具本体４１への取付けが、被覆剥離工具本体４１のハンドル４２ａ、４２ｂ動作を邪魔しない点、電線被覆剥離工具３の使用方法、作用効果も第２実施形態の電線被覆剥離工具２と同じである。
【００６５】
上記のように第２及び第３実施形態の電線被覆剥離工具２、３も電線被覆剥離工具１と同様に、持ち運びの良いハンディタイプの工具である。さらに刃２６ａ及び刃２６ｂ、刃４６ａ及び刃４６ｂが芯線１０５に接触するとこれを検出し、報知器を介して報知する点を含め、作用効果も電線被覆剥離工具１と同じであり、被覆材１０３を剥離した後の目視点検が不要となるなど使い勝手に優れる。
【００６６】
上記実施形態の電線被覆剥離工具１、２、３の被覆剥離工具本体１１、２１、４１は、ハンドルを完全に閉じた状態で互いの刃が接触しない被覆剥離工具本体１１、ハンドルを完全に閉じた状態で互いの刃が当接する被覆剥離工具本体２１、ハンドルを完全に閉じた状態で互いの刃が部分的に交差する被覆剥離工具本体４１に分類することできる。このように本発明に係る電線被覆剥離工具では、幅広い被覆剥離工具本体を使用できることが分かる。
【００６７】
以上、第１〜第３実施形態の電線被覆剥離工具１、２、３を用いて本発明に係る電線被覆剥離工具を説明したが、本発明に係る電線被覆剥離工具は、上記実施形態に限定されるものではなく、要旨を変更しない範囲で変更して使用することができる。
【００６８】
上記実施形態では、ホッチキスタイプ（ステープラタイプ）の被覆剥離工具本体として２つのハンドル１２ａ、１２ｂが連結ピン１３で連結された被覆剥離工具本体１１を示したが、ホッチキスタイプ（ステープラタイプ）の被覆剥離工具本体には、２つのハンドル１２ａ、１２ｂの末端部を弾性を有するＵ字部で連結したものもある。本発明に係る電線被覆剥離工具ではこのような被覆剥離工具本体であってもよい。この他、被覆剥離工具本体には、互いの先端部が開閉可能に連結された一対のハンドルを有し、ハンドルの先端部に刃が電気的絶縁性を有した状態で設けられている工具を幅広く使用することができる。
【００６９】
また上記実施形態では、報知器として発光素子及び発音素子の両方を備える電線被覆剥離工具を示したが、報知器は、発光素子、発音素子のいずれか一方であってもよい。また報知器として発光素子、発音素子に代え、あるいはそれらと共に被覆剥離工具本体を振動させるバイブレータを使用してもよい。
【００７０】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００７１】
１、２、３  電線被覆剥離工具
１１  被覆剥離工具本体
１２ａ、１２ｂ  ハンドル
１５ａ、１５ｂ  刃，刃体
１７ａ、１７ｂ  絶縁性の板材
１９  絶縁性の板材
２１  被覆剥離工具本体
２２ａ、２２ｂハンドル
２３ａ、２３ｂ  先端部
２４ａ、２４ｂ  連結部
２６ａ、２６ｂ  刃
３３  絶縁性の円筒部材
３４  絶縁性の板材
４１  被覆剥離工具本体
４２ａ、４２ｂ  ハンドル
４３ａ、４３ｂ  先端部
４４ａ、４４ｂ  連結部
４６ａ、４６ｂ  刃
４８ｂ  裏面
５０ａ、５０ｂ  先端部の端部
５２  被覆
５５  報知手段
５６  発光素子
５７  発音素子
５８  バッテリ
１０１  被覆電線
１０３  被覆材
１０５  芯線
１１１  手
【図１】
2018098890.tif 000003
【図２】
2018098890.tif 000004
【図３】
2018098890.tif 000005
【図４】
2018098890.tif 000006
【図５】
2018098890.tif 000007
【図６】
2018098890.tif 000008
【図７】
2018098890.tif 000009
【図８】
2018098890.tif 000010